(57)【要約】【課題】基板と封止樹脂との界面や、封止樹脂と受光素子の側面との界面での剥離を防止して、外部からの異物や湿気の浸入を防ぐ。【解決手段】少なくとも素子側面１ａおよび、この素子側面１ａに連設した素子面１ｂの受光領域４を囲む周縁領域１ｃに封止樹脂５１が配置されて受光領域４が透光性支持基板１１および封止樹脂５１により内部に封止するため、透光性支持基板１１と封止樹脂５１との界面や、封止樹脂５１と受光素子１の側面１ａとの界面での剥離を防止する。【選択図】図１
2010272775.tif 000002
【特許請求の範囲】
【請求項１】
外部との電気信号の授受ができる一または複数の突起電極を有する受光素子と、該受光素子が該突起電極を介して電気的に接続されて搭載される透光性支持基板とを有し、
少なくとも素子側面および、該素子側面に連設した素子面の受光領域を囲む周縁領域に封止樹脂が配置されて該受光領域を該透光性支持基板および該封止樹脂により内部に封止した受光素子封止構造。
【請求項２】
前記突起電極を覆って前記透光性支持基板と前記受光素子とを固定する固定樹脂が前記封止樹脂の内部に設けられている請求項１に記載の受光素子封止構造。
【請求項３】
前記突起電極を介して前記透光性支持基板の配線と前記受光素子のパッドとを電気的に接続している請求項１に記載の受光素子封止構造。
【請求項４】
前記固定樹脂は非導電粒子を含有している請求項２に記載の受光素子封止構造。
【請求項５】
前記固定樹脂は導電粒子を含有している請求項２に記載の受光素子封止構造。
【請求項６】
前記固定樹脂は非導電粒子および導電粒子を含有しており、該非導電粒子の平均径として該導電粒子径の３０〜８０パーセントのものを含む請求項２に記載の受光素子封止構造。
【請求項７】
前記導電粒子の平均直径が２〜６μｍである請求項５または６に記載の受光素子封止構造。
【請求項８】
前記導電粒子の平均直径が２〜４μｍである請求項５または６に記載の受光素子封止構造。
【請求項９】
前記固定樹脂に対する前記導電粒子の含有比率は７〜１５ｗｔパーセントである請求項５または６に記載の受光素子封止構造。
【請求項１０】
前記固定樹脂は、ＡＣＦ（Ａｎｉｓｏｔｒｏｐｉｃ  Ｃｏｎｄｕｃｔｉｖｅ  Ｆｉｌｍ）、ＡＣＰ（Ａｎｉｓｏｔｒｏｐｉｃ  Ｃｏｎｄｕｃｔｉｖｅ  Ｐａｓｔｅ）およびＮＣＰ（Ｎｏｎ  Ｃｏｎｄｕｃｔｉｖｅ  Ｐａｓｔｅ）のうちのいずれかである請求項２に記載の受光素子封止構造。
【請求項１１】
前記封止樹脂は電磁波硬化樹脂である請求項１に記載の受光素子封止構造。
【請求項１２】
前記封止樹脂は、前記固定樹脂の熱硬化温度よりも低い低温硬化樹脂である請求項２に記載の受光素子封止構造。
【請求項１３】
前記封止樹脂の封止領域は、前記受光素子の周縁領域の端辺から少なくとも５０μｍの領域を有しかつ前記受光領域に達していない請求項１に記載の受光素子封止構造。
【請求項１４】
前記突起電極の頂部が尖った先端形状かまたは平坦形状である請求項１に記載の受光素子封止構造。
【請求項１５】
前記複数の突起電極を前記受光素子の平面視４角形の対向する２辺にまとめて配置した請求項１に記載の受光素子封止構造。
【請求項１６】
前記複数の突起電極を前記受光素子の平面視４角形の１辺側にまとめて一または複数列に配置した請求項１に記載の受光素子封止構造。
【請求項１７】
前記平面視４角形の１辺に対向する１辺の両角部分に前記突起電極と同形状のダミー突起電極がそれぞれ配置されている請求項１６に記載の受光素子封止構造。
【請求項１８】
前記受光素子は、被写体からの入射光を光電変換して撮像する複数の受光部を有する固体撮像素子である請求項１に記載の受光素子封止構造。
【請求項１９】
前記受光素子の素子面の端辺付近に該端辺に沿った溝を設け、前記封止樹脂が該溝内に埋め込まれている請求項１に記載の受光素子封止構造。
【請求項２０】
請求項１〜１９のいずれかに記載の受光素子封止構造が配置された透光性支持基板に、ディスプレイが配置されている表示素子・電子素子モジュール。
【請求項２１】
前記ディスプレイは液晶表示パネルである請求項２０に記載の表示素子・電子素子モジュール。
【請求項２２】
透光性支持基板を準備する透光性支持基板準備工程と、
受光領域を有する素子面の受光領域を除く周辺領域に、外部との電気信号の授受ができる突起電極を設けた受光素子を準備する受光素子準備工程と、
該受光素子を、該突起電極を介して透光性支持基板上に搭載する受光素子搭載工程と、
該透光性支持基板上と該受光素子の素子側面および素子面の周縁領域とに封止樹脂を設けて該受光領域を封止する封止工程とを有する受光素子封止構造の製造方法。
【請求項２３】
前記透光性支持基板準備工程において、前記受光素子の突起電極が電気的に接続される前記透光性支持基板上の配線領域に固定樹脂を予め配置し、
前記受光素子搭載工程において、該固定樹脂により該突起電極を覆って該透光性支持基板と該受光素子とを固定すると共に、該突起電極を介して該透光性支持基板の配線領域と該受光素子のパッドとを電気的に接続する請求項２２に記載の受光素子封止構造の製造方法。
【請求項２４】
前記封止工程において、前記封止樹脂は前記固定樹脂よりも低温で熱硬化させる請求項２３に記載の受光素子封止構造の製造方法。
【請求項２５】
前記封止工程において、前記封止樹脂は電磁波で硬化させる請求項２２または２３に記載の受光素子封止構造の製造方法。
【請求項２６】
前記封止工程において、前記封止樹脂は摂氏６０度以上摂氏８０度以下の温度で熱硬化させる請求項２２、２４および２５のいずれかに記載の受光素子封止構造の製造方法。
【請求項２７】
前記封止工程において、前記封止樹脂は、封止領域を前記受光素子の素子面周縁の端辺から５０μｍ以上の領域で、かつ前記受光領域まで到達しない領域に配置されている請求項２２に記載の受光素子封止構造の製造方法。
【請求項２８】
前記固定樹脂は非導電粒子を含有している請求項２３に記載の受光素子封止構造の製造方法。
【請求項２９】
前記固定樹脂は導電粒子を含有している請求項２３に記載の受光素子封止構造の製造方法。
【請求項３０】
前記受光素子は、被写体からの入射光を光電変換して撮像する複数の受光部を有する固体撮像素子である請求項２２に記載の受光素子封止構造の製造方法。
【請求項３１】
請求項１〜１９のいずれかに記載の受光素子封止構造を画像入力デバイスとして撮像部に用いた電子情報機器。
【発明の詳細な説明】
【技術分野】
【０００１】
本発明は、透光性支持基板に受光素子部品を搭載した受光素子封止構造およびその製造方法、表示素子が配置された透光性支持基板上に、被写体からの画像光を光電変換して撮像する半導体素子で構成された撮像素子を一体化させた受光素子一体型ディスプレイモジュールなどの表示素子・電子素子モジュール、この受光素子封止構造を画像入力デバイスとして撮像部に用いた例えばデジタルビデオカメラおよびデジタルスチルカメラなどのデジタルカメラや、画像入力カメラ、スキャナ装置、ファクシミリ装置、カメラ付き携帯電話装置、テレビジョン電話装置、テレビジョン装置や情報を表示する表示ユニットまたは表示装置などに搭載するディスプレイモジュールなどの電子情報機器に関する。
【背景技術】
【０００２】
図９は、特許文献１に開示されている従来の受光素子封止構造を示す要部縦断面図である。
【０００３】
図９に示すように、従来の受光素子封止構造を有する半導体装置１００は、ガラス基板１０１に、ハンダバンプ１０２を介して受光素子１０３をフリップチップ接続し、この受光素子１０３は、ポッティング樹脂１０４により内部に封止されている。ポッティング樹脂１０４は、ガラス基板１０１上の流れ止め部材１０５により、ポッティング樹脂１０４の素子面への流れ込みを防ぎ、受光素子１０３の側面と裏面（図では上面）を覆うように封止されている。ポッティング樹脂１０４の硬化は、熱硬化タイプの樹脂であり、摂氏１５０度で２時間の温度条件で熱硬化させている。また、このハンダバンプ１０２は、ランド部１０６さらにスルーホールを介してガラス基板１０１の下面の配線部１０７に引き出されている。
【先行技術文献】
【特許文献】
【０００４】
【特許文献１】特開平５−２１８２３０号公報
【発明の概要】
【発明が解決しようとする課題】
【０００５】
上記従来の受光素子封止構造を有する半導体装置１００では、封止樹脂としてのポッティング樹脂１０４は、受光素子１０３において、光を受ける受光領域をガラス基板１０１に向かい合わせに配置し、フェイスダウンでハンダバンプ１０２を介して搭載し、受光素子１０３の素子面には設けずに、側面と裏面（図では上面）に設け、摂氏１５０度に加熱して熱硬化させている。このため、以下のような問題が生じる。
【０００６】
従来の受光素子封止構造において、封止樹脂としてのポッティング樹脂１０４は、受光素子１０３とガラス基板１０１との間に異物や湿気が入り込むことを防ぐものである。ただし、受光素子１０３の側面には形成するが、素子面には形成していないため、気密性に劣るという問題が生じる。特に、熱硬化時に、中空部１０８の空気が膨張すると、ガラス基板１０１とポッティング樹脂１０４との界面や、受光素子１０３の側面とポッティング樹脂１０４との界面で剥離が発生し、外部からの異物や湿気の浸入を防ぐことができなくなってしまう。
【０００７】
従来の受光素子封止構造において、受光素子の接続部はハンダ接続されるため、受光素子とガラス基板の間がフラックスにより汚染される不具合が生じる虞がある。
【０００８】
本発明は、上記従来の問題を解決するもので、基板と封止樹脂との界面や、封止樹脂と受光素子の側面との界面での剥離を防止して、外部からの異物や湿気の浸入を防ぐことができる受光素子封止構造およびその製造方法、この受光素子封止構造を用いた表示素子・電子素子モジュール、この受光素子封止構造を画像入力デバイスとして撮像部に用いた例えばテレビジョン電話装置などの電子情報機器を提供することを目的とする。
【課題を解決するための手段】
【０００９】
本発明の受光素子封止構造は、外部との電気信号の授受ができる一または複数の突起電極を有する受光素子と、該受光素子が該突起電極を介して電気的に接続されて搭載される透光性支持基板とを有し、少なくとも素子側面および、該素子側面に連設した素子面の受光領域を囲む周縁領域に封止樹脂が配置されて該受光領域を該透光性支持基板および該封止樹脂により内部に封止したものであり、そのことにより上記目的が達成される。
【００１０】
また、好ましくは、本発明の受光素子封止構造における突起電極を覆って前記透光性支持基板と前記受光素子とを固定する固定樹脂が前記封止樹脂の内部に設けられている。
【００１１】
さらに、好ましくは、本発明の受光素子封止構造における突起電極を介して前記透光性支持基板の配線と前記受光素子のパッドとを電気的に接続している。
【００１２】
さらに、好ましくは、本発明の受光素子封止構造における固定樹脂は非導電粒子を含有している。
【００１３】
さらに、好ましくは、本発明の受光素子封止構造における固定樹脂は導電粒子を含有している。
【００１４】
さらに、好ましくは、本発明の受光素子封止構造における固定樹脂は非導電粒子および導電粒子を含有しており、該非導電粒子の平均径として該導電粒子径の３０〜８０パーセントのものを含む。この場合、固定樹脂の硬化前にチクソ性を向上させる場合などにおいて、微細フィラー（1μｍ以下）を添加する手法があり、この手法と併用する可能性がある。
【００１５】
さらに、好ましくは、本発明の受光素子封止構造における導電粒子の平均直径が２〜６μｍである。
【００１６】
さらに、好ましくは、本発明の受光素子封止構造における導電粒子の平均直径が２〜４μｍである。
【００１７】
さらに、好ましくは、本発明の受光素子封止構造における固定樹脂に対する前記導電粒子の含有比率は７〜１５ｗｔパーセントである。
【００１８】
さらに、好ましくは、本発明の受光素子封止構造における固定樹脂は、ＡＣＦ（Ａｎｉｓｏｔｒｏｐｉｃ  Ｃｏｎｄｕｃｔｉｖｅ  Ｆｉｌｍ）、ＡＣＰ（Ａｎｉｓｏｔｒｏｐｉｃ  Ｃｏｎｄｕｃｔｉｖｅ  Ｐａｓｔｅ）およびＮＣＰ（Ｎｏｎ  Ｃｏｎｄｕｃｔｉｖｅ  Ｐａｓｔｅ）のうちのいずれかである。
【００１９】
さらに、好ましくは、本発明の受光素子封止構造における封止樹脂は電磁波硬化樹脂である。
【００２０】
さらに、好ましくは、本発明の受光素子封止構造における封止樹脂は、前記固定樹脂の熱硬化温度よりも低い低温硬化樹脂である。
【００２１】
さらに、好ましくは、本発明の受光素子封止構造における封止樹脂の封止領域は、前記受光素子の周縁領域の端辺から少なくとも５０μｍの領域を有しかつ前記受光領域に達していない。
【００２２】
さらに、好ましくは、本発明の受光素子封止構造における突起電極の頂部が尖った先端形状かまたは平坦形状である。
【００２３】
さらに、好ましくは、本発明の受光素子封止構造における複数の突起電極を前記受光素子の平面視４角形の対向する２辺にまとめて配置している。
【００２４】
さらに、好ましくは、本発明の受光素子封止構造における複数の突起電極を前記受光素子の平面視４角形の１辺側にまとめて一または複数列に配置している。
【００２５】
さらに、好ましくは、本発明の受光素子封止構造における平面視４角形の１辺に対向する１辺の両角部分に前記突起電極と同形状のダミー突起電極がそれぞれ配置されている。
【００２６】
さらに、好ましくは、本発明の受光素子封止構造における受光素子は、被写体からの入射光を光電変換して撮像する複数の受光部を有する固体撮像素子である。
【００２７】
さらに、好ましくは、本発明の受光素子封止構造における受光素子の素子面の端辺付近に該端辺に沿った溝を設け、前記封止樹脂が該溝内に埋め込まれている。
【００２８】
本発明の表示素子・電子素子モジュールは、本発明の上記受光素子封止構造が配置された透光性支持基板に、ディスプレイが配置されているものであり、そのことにより上記目的が達成される。
【００２９】
また、好ましくは、本発明の表示素子・電子素子モジュールにおけるディスプレイは液晶表示パネルである。
【００３０】
本発明の受光素子封止構造の製造方法は、透光性支持基板を準備する透光性支持基板準備工程と、受光領域を有する素子面の受光領域を除く周辺領域に、外部との電気信号の授受ができる突起電極を設けた受光素子を準備する受光素子準備工程と、該受光素子を、該突起電極を介して透光性支持基板上に搭載する受光素子搭載工程と、該透光性支持基板上と該受光素子の素子側面および素子面の周縁領域とに封止樹脂を設けて該受光領域を封止する封止工程とを有するものであり、そのことにより上記目的が達成される。
【００３１】
また、好ましくは、本発明の受光素子封止構造の製造方法における透光性支持基板準備工程において、前記受光素子の突起電極が電気的に接続される前記透光性支持基板上の配線領域に固定樹脂を予め配置し、前記受光素子搭載工程において、該固定樹脂により該突起電極を覆って該透光性支持基板と該受光素子とを固定すると共に、該突起電極を介して該透光性支持基板の配線領域と該受光素子のパッドとを電気的に接続する。
【００３２】
さらに、好ましくは、本発明の受光素子封止構造の製造方法における封止工程において、前記封止樹脂は前記固定樹脂よりも低温で熱硬化させる。
【００３３】
さらに、好ましくは、本発明の受光素子封止構造の製造方法における封止工程において、前記封止樹脂は電磁波で硬化させる。
【００３４】
さらに、好ましくは、本発明の受光素子封止構造の製造方法における封止工程において、前記封止樹脂は摂氏６０度以上摂氏８０度以下の温度で熱硬化させる。
【００３５】
さらに、好ましくは、本発明の受光素子封止構造の製造方法における封止工程において、前記封止樹脂は、封止領域を前記受光素子の素子面周縁の端辺から５０μｍ以上の領域で、かつ前記受光領域まで到達しない領域に配置されている。
【００３６】
さらに、好ましくは、本発明の受光素子封止構造の製造方法における固定樹脂は非導電粒子を含有している。
【００３７】
さらに、好ましくは、本発明の受光素子封止構造の製造方法における固定樹脂は導電粒子を含有している。
【００３８】
さらに、好ましくは、本発明の受光素子封止構造の製造方法における受光素子は、被写体からの入射光を光電変換して撮像する複数の受光部を有する固体撮像素子である。
【００３９】
本発明の電子情報機器は、本発明の上記受光素子封止構造を画像入力デバイスとして撮像部に用いたものであり、そのことにより上記目的が達成される。
【００４０】
上記構成により、以下、本発明の作用を説明する。
【００４１】
本発明においては、受光素子封止構造として、外部との電気信号の授受ができる一または複数の突起電極を有する受光素子と、該受光素子が該突起電極を介して電気的に接続されて搭載される透光性支持基板とを有し、少なくとも素子側面および、該素子側面に連設した素子面の受光領域を囲む周縁領域に封止樹脂が配置されて該受光領域が該透光性支持基板および該封止樹脂により内部に封止されている。
【００４２】
これによって、少なくとも素子側面および、この素子側面に連設した素子面の受光領域を囲む周縁領域に封止樹脂が配置されて受光領域が透光性支持基板および封止樹脂により内部に封止されているので、基板と封止樹脂との界面や、封止樹脂と受光素子の側面との界面での剥離を防止して、外部からの異物や湿気の浸入を防ぐことが可能となる。
【発明の効果】
【００４３】
以上により、本発明によれば、少なくとも素子側面および、この素子側面に連設した素子面の受光領域を囲む周縁領域に封止樹脂が配置されて受光領域が透光性支持基板および封止樹脂により内部に封止されているため、基板と封止樹脂との界面や、封止樹脂と受光素子の側面との界面での剥離を防止して、外部からの異物や湿気の浸入を防ぐことができる。
【図面の簡単な説明】
【００４４】
【図１】本発明の実施形態１に係るディスプレイ一体型受光素子搭載モジュールにおける受光素子封止構造の要部構成例を示す平面図である。
【図２】図１のＡ−Ａ線縦断面図である。
【図３】図１および図２の封止樹脂の浸入距離と欠陥の有無の関係を示す図である。
【図４】本発明の実施形態２に係るディスプレイ一体型受光素子搭載モジュールにおける受光素子封止構造の要部構成例を示す平面図である。
【図５】図１のＢ−Ｂ線縦断面図である。
【図６】（ａ）〜（ｃ）は、図４および図５のディスプレイ一体型受光素子搭載モジュールにおける受光素子封止構造の製造方法の各工程を説明するための要部縦断面図である。
【図７】（ａ）〜（ｃ）は、図４および図５のディスプレイ一体型受光素子搭載モジュールにおける受光素子封止構造の製造方法とは別の製造方法の各工程を説明するための要部縦断面図である。
【図８】本発明の実施形態３として、本発明の実施形態１、２の受光素子封止構造を画像入力デバイスとして撮像部に用いた電子情報機器の概略構成例を示すブロック図である。
【図９】特許文献１に開示されている従来の受光素子封止構造を示す要部縦断面図である。
【発明を実施するための形態】
【００４５】
以下に、本発明の受光素子封止構造の実施形態１、２および、この受光素子封止構造の実施形態１、２を画像入力デバイスとして撮像部に用いた例えばテレビジョン電話装置などの電子情報機器の実施形態３について図面を参照しながら詳細に説明する。
【００４６】
（実施形態１）
図１は、本発明の実施形態１に係るディスプレイ一体型受光素子搭載モジュールにおける受光素子封止構造の要部構成例を示す平面図であり、図２は、図１のＡ−Ａ線縦断面図である。
【００４７】
図１および図２において、本実施形態１の受光素子封止構造１０は、透光性支持基板１１への受光素子封止構造に関し、封止樹脂５１は、透光性支持基板１１と、受光素子１（ここでは固体撮像素子）の側面１ａと、素子面１ｂの受光領域４を囲む周辺領域１ｃとに密着して設けられている。これによって、封止樹脂５１を熱硬化させる際の中空部６１の気体膨脹時の圧力に耐える構造となって、受光領域４への異物や水分の侵入を確実に防ぐことができる。
【００４８】
ここでは、透光性支持基板１１上に、本実施形態１の受光素子封止構造１０の隣にディスプレイ２０が搭載されてディスプレイ一体型受光素子搭載モジュールを構成している。これによって、例えばテレビジョン電話装置などを構成することができる。なお、導電粒子４２を含有する固定樹脂４１であるＡＣＰまたはＡＣＦを用いた例を示しているが、ＮＣＰは、ＡＣＰの導電粒子４２を取り除いたものである。
【００４９】
ディスプレイ２０は、２枚の透光性支持基板１１、１２を互いに対向させて重ね合わせた構成である。ディスプレイ２０として、例えば液晶表示装置の液晶表示パネルを構成することができる。透光性支持基板１１、１２には、透明な種々のガラス樹脂材料を用いることができる。透光性支持基板１１の一方面には基板配線２１が設けられ、この基板配線２１の配線部２１ｂおよび少なくともその近傍が、酸化膜または窒化膜、またはそれらを組み合わせた複数層からなる無機の絶縁膜３１により覆われている。この絶縁膜３１は、外部環境から基板配線２１を化学的、物理的ダメージから保護している。さらに、この絶縁膜３１上を有機膜からなる絶縁膜３２により覆い、さらに化学的、物理的ダメージからの保護を強化している。
【００５０】
基板配線２１としては、アルミニュウム、タンタル、タンタルナイトライド、ニッケル、モリブデン、銅、金、白金、タングステン、チタンおよびＩＴＯなどが用いられる。これらの材料の中から単層または複数層で用いられる。基板配線２１の材料は、必要に応じ、これらの中から選ばれ、使用箇所によって使い分けられる。
【００５１】
本実施形態１では、ディスプレイ２０において、アルミニュウム、タンタルナイトライド、チタン、ＩＴＯを用い、受光素子チップ搭載領域に引き回す基板配線２１もこの中の全てまたは一部を用いることで、ディスプレイ２０と同様のプロセスで受光素子搭載領域の基板配線２１も製造可能となり、製造工程を複雑化しない。
【００５２】
なお、一般的なディスプレイモジュールでは、受光素子１の搭載基板は、ディスプレイ２０の一部を構成する透光性支持基板１１とは別の基板を準備し、透光性支持基板１１に接続して用いられている。これに対して、本実施形態１では、ディスプレイ２０の一部を構成する透光性支持基板１１に受光素子１が直接搭載されるため、専用の別の基板を準備する必要がなく、互いを接続する手間も省ける。
【００５３】
また、透光性支持基板１１に受光素子１を直接搭載するため、ディスプレイモジュールを小型化することが可能となる。このようにして、受光素子１とディスプレイ２０の距離を近づけることができ、これらの間を繋ぐ配線経路を短くすることができるため、信号処理速度を高めることができて、消費電力を抑えることができる。さらに、画像信号を双方向に通信するテレビ電話装置またはテレビ電話機能を有する電子機器などにおいて、通話者同士の視線を真近かに合わせることが可能となる。
【００５４】
受光素子１は、その中央部に受光領域４が形成されており、受光領域４には、集光能力を高める目的で、各受光部（画素）毎に、微小レンズ５（マイクロレンズ）が設けられている。これは、画素数の多いタイプの固体撮像素子では、一つの画素（受光部）が小さいため、１画素当たりの集光能力が低くなることを補っている。微小レンズ５（マイクロレンズ）はアクリル系樹脂、シリコン窒化膜、シリコン酸化膜などの材料、またはこれらを複数層で設けている。複数の受光部が配設された中央部の受光領域４を除く周辺領域に複数の電極パッド２を配置する。
【００５５】
複数の電極パッド２は、例えば、４角形の受光素子１の４辺または４辺のうちの少なくとも１辺に沿って存在する。４角形の１辺に存在する場合は、対向する辺などに、受光素子１と外部との電気信号の授受を行わないダミーの導電突起などのスペーサを形成するとよい。ダミー導電突起以外のスペーサとしては、樹脂材料などの非導電突起でもよい。電極パッド２は、一般的には、アルミニュウム系または銅系の金属が用いられる。受光素子１の場合は、表面の汚染を避けるために、電極パッド２上に設けられる導電突起３として、金属細線から形成するワイヤバンプを用いるとよい。高さの必要に応じ、２段、３段・・・で設けるとよい。金属細線としては金が一般的に用いられるが、他にアルミニュウム、銅などもある。本実施形態１では、この中で酸化の影響を受けにくく、形状が安定化する金からなるワイヤバンプを用いた。電極パッド２が銅系の金属の場合は、最表面にアルミニュウム系の金属を設けることで対応できる。導電突起３は受光素子１が個片状態で設けてもよいし、個片化する前のウエハ状態で設けてもよい。製造上は、後者の方が量産性に優れる。
【００５６】
電極パッド２に導電突起３を設けた受光素子１は、基板配線２１が設けられた透光性支持基板１１のランド部２１ａに上記導電突起３が各々位置合わせされて搭載される。このランド部２１ａと導電突起３との電気的接続は、導電突起３とランド部２１ａを直接接続してもよいし、導電突起３とランド部２１ａの間に導電粒子４２を介在させてもよい。このとき、上記接続方法によらず、受光素子１の接続部は、固定樹脂４１で固定化することにより、受光素子１と透光性支持基板１１の接続部を保護することができる。導電粒子４２を介して電気的に接合する場合は、ワイヤバンプの頂部を予め平坦化しておくと導電粒子４２の介在数を多くすることができるので導電性がよい。頂部のサイズは４０以上とすると、導電粒子４２の介在数を確保しやすくなる。導電粒子４２を含有する固定樹脂４１にはその一例としてＡＣＦやＡＣＰがある。
【００５７】
一方、導電粒子４２を含まない固定樹脂には、その例としてＮＣＰなどがある。これらのＡＣＦ、ＡＣＰ、ＮＣＰなどの材料は、非導電粒子を含有することができる。非導電粒子には、シリカ、アルミナ、樹脂粒子などがある。これらの非導電粒子は、導電突起３、透光性支持基板１１や受光素子１などに熱膨張係数を近づけるのに有効である。ＮＣＰで受光素子１の接続部を固定する場合においては、導電突起３の頂部が尖った形状としておく方がよい。受光素子チップの接続の前に、予め樹脂を塗布するＮＣＰを用いる方法では、接続面へのＮＣＰの巻き込みを防止できる。また、導電突起３とランド部２１ａを金属接合により接続する場合でも、頂部が尖った先端形状としておくとよい。いずれの固定樹脂４１を用いる場合においても、ハンダ接続しないので、受光素子１と透光性支持基板１１の間におけるフラックスによる汚染の心配がない。また、導電粒子４２を含まないＮＣＰよりも、導電粒子４２を含むＡＣＰ、ＡＣＦの方が接続安定性に優れる。
【００５８】
ＡＣＰやＡＣＦにおける導電粒子４２は、その平均直径は２〜６μｍとするとよい。さらには２〜４μｍ程度と小さくした方が、含有率が同じでも、導電粒子４２の数を増やすことができるので一端子当たりの導電粒子の介在数を増やすことができる。
【００５９】
一方、導電粒子４２の平均直径が極端に小さいと、技術的、コスト的に困難になってくる。含有比率は７〜１５ｗｔパーセント程度がよい。このことで、一端子当たりの導電粒子４２が介在しない確率を減らし、隣り合う端子間でのショートを減らすことができる。非導電粒子を含有させると、熱膨張係数を下げることができ、その結果として、熱膨張係数の比較的小さなガラスからなる透光性支持基板１１や、シリコンからなる受光素子１に近づけることができるため、熱膨張係数の差が起因である透光性支持基板１１と固定樹脂４１の接合面、または受光素子１と固定樹脂４１の接合面の剥離を抑制することができる。
【００６０】
しかしながら、非導電粒子は、導電粒子４２よりも平均粒径が小さなものを含有させて、導電粒子４２による電気的接続を阻害しないようにする必要がある。例えば、非導電粒子の平均径は導電粒子径の３０〜８０パーセント程度とするとよい。即ち、導電粒子４２の径が５μｍのとき、非導電粒子の平均径は１．５〜４μｍ程度、また、導電粒子４２の径が３μｍのとき、非導電粒子の平均径は１〜２．４μｍ程度とするとよい。非導電粒子の含有比率は作業性を考慮したうえで、できるだけ含有させた方が熱膨張係数を下げることができるため、熱膨張係数を合わせるのに都合がよい。
【００６１】
なお、平均粒径として２種類以上を含有させても良い。その場合、非導電粒子の平均粒径は導電粒子の平均粒径の３０〜８０％よりも小さなものを用いる。液状樹脂のチクソ性を向上させる場合に、例えば１μｍ以下の小さな粒子を含有させる手法があるが、その手法と併用が考えられるためである。
【００６２】
ＡＣＰ、ＮＣＰにおいては、０．１〜７０ｗｔパーセント程度がよい。硬化温度は、一般的に摂氏１５０度以上である。一般的にツールボンディングするため、処理速度をできるだけ速くするためである。
【００６３】
封止樹脂５１は、受光素子１の素子面と透光性支持基板１１との間に異物や水分の浸入を防ぎ、受光素子１と透光性支持基板１１との接続部を補強することができる。ここでは、受光素子１や、透光性支持基板１１との界面に剥離などを起こさないために、素子側面に加えて、素子面の周縁領域にも封止樹脂５１を設けている。さらに、素子裏面（図では上面）も覆ってもよい。このことにより、外部からの異物や水分の浸入を確実に防ぐことができる。
【００６４】
図３に、封止樹脂５１（例えば液状樹脂）の素子面の周縁領域への浸入距離と剥離などの欠陥の有無との関係を示している。これにより、素子面の端面からの距離が最短で５０μｍを確保すれば、封止樹脂５１と受光素子１、透光性支持基板１１との界面の剥離などの欠陥は発生しないことが判る。粘度は、１００から１５００Ｐａ・ｓ、チクソ性は１．２〜２.５程度がよい。そのとき、浸入距離（ｄ）は最も短いところでも５０μｍ以上確保できる。最も浸入距離の短いところで、最小距離ｄとして５０μｍ以上確保しかつ受光領域４に達しない場合では、電磁波の一種である紫外線を照射後においては、摂氏７０度〜８０度（または摂氏６０度〜８０度）で硬化を行っても受光素子１または透光性支持基板１１との界面において、封止樹脂５１の剥離などの異常はなかった。
【００６５】
封止樹脂５１の硬化温度が高くなると、それだけ内部の気体の膨張の圧力が高まるため、できるだけ低温にすることが好ましい。また、ディスプレイ２０と一体型とする場合、特に、液晶ディスプレイの場合は、摂氏８０度を超えると、ディスプレイ部が劣化するため、摂氏８０度以下で樹脂硬化させる必要がある（硬化反応を高めるために、低くても摂氏６０度以上とすると良い）。浸入距離が０〜２０μｍ程度と殆ど浸入していない場合は、内圧が原因で、受光素子１と封止樹脂５１との界面で剥離が発生した。このときの粘度は２０００Ｐａ・ｓ以上で、チクソ性は３以上であった。非導電粒子の含有量は０．１〜７０ｗｔパーセントがよい。電磁波と熱硬化併用タイプでなくても、電磁波硬化のみや熱硬化のみのタイプであってもよい。ただし、固定樹脂４１よりも低い温度で硬化できることが必要である。硬化温度が高いと、固定樹脂４１が緩むことが想定されるためである。ディスプレイ２０として、液晶を用いる場合は、硬化温度は摂氏８０度以下とする必要がある。したがって、電磁波のみで硬化する場合は、内圧の影響も少なく、ディスプレイへの影響もないため最も良いことになる。ただし、硬化物としての信頼性では、電磁波硬化と熱硬化の併用タイプかまたは熱硬化タイプが有利である。
【００６６】
（実施形態２）
上記実施形態１では、複数の電極パッド２（突起電極３）を受光素子１の対向する２辺側にまとめて配置した場合について説明したが、本実施形態２では、複数の電極パッド２（突起電極３）を２列に配置して受光素子１の１辺側にまとめて配置した場合について説明する。
【００６７】
図４は、本発明の実施形態２に係るディスプレイ一体型受光素子搭載モジュールにおける受光素子封止構造の要部構成例を示す平面図であり、図５は、図４のＢ−Ｂ線縦断面図である。なお、図４および図５において、図１および図２の場合と異なる点について説明する。
【００６８】
図４および図５において、本実施形態２の受光素子封止構造１０Ａでは、外部と信号の授受を行うことができる複数の電極パッド２（導電突起３）が受光素子１の１辺側にまとめられている。このことにより、ＡＣＦ、ＡＣＰ、ＮＣＰなどの固定樹脂４１による接続領域を一箇所に集中させることができ、接続領域、または接続領域同士の間隔を狭くすることができるので、透光性支持基板１１や受光素子１と、固定樹脂４１との熱膨張係数の不一致からくる残留応力を低減することができ、これらの界面での剥離を抑制することができる。
【００６９】
また、電極パッド２を透光性支持基板１１の空き領域側（紙面において図４の受光素子１の搭載部の下方位置）に配置できるため、透光性支持基板１１上の基板配線２１の引き回しが容易になる。このとき、対辺側にスペーサとしてのダミーの導電突起３Ａを配置するためのダミー電極パッド２Ａを配置し、その上にダミー導電突起３Ａを設けている。このことにより、搭載時における受光素子１の傾きを軽減することができる。
【００７０】
さらに、基板配線２１の保護機能を有する有機の絶縁膜３２は、ここでは封止樹脂５１の領域を規定する流れ止め部の役割を兼ねている。また、ディスプレイ用配線として用いられるＩＴＯを設けて、流れ止め部の役割を持たせてもよい。ＩＴＯはエポキシ系などの樹脂との濡れ性がよくない性質を持っているためである。さらには、絶縁膜３２上において、封止樹脂５１と接触する領域にＩＴＯをコーティングすると更に流れ止めの役割が強化される。さらに、他の方法も考えられ、例えば絶縁膜３１と封止樹脂５１の組み合わせで、濡れ性が良い場合は、封止樹脂５１の必要な領域に絶縁膜３１が存在するか、露出するとよいので、受光領域４に絶縁膜３１の開口部を設けて、受光素子１の外周側は、絶縁膜３２やＩＴＯなどによって流れ止め部を設けるとよい。
【００７１】
ここで、上記構成の図４および図５のディスプレイ一体型受光素子搭載モジュールにおける受光素子封止構造１０Ａの製造方法について説明する。
【００７２】
図６（ａ）〜図６（ｃ）は、図４および図５のディスプレイ一体型受光素子搭載モジュールにおける受光素子封止構造１０Ａの製造方法の各工程を説明するための要部縦断面図である。
【００７３】
図６（ａ）に示すように、まず、透光性支持基板１１を準備する透光性支持基板準備工程について説明する。
【００７４】
基板配線２１と、その上に設けられ、単層または複数層の酸化膜または窒化膜からなる無機の絶縁膜３１と、さらにその上に設けられた有機の絶縁膜３２とを順次形成する。
【００７５】
基板配線２１は、受光素子１の電気的接続領域に絶縁膜３１の開口部３１Ａを有し、この開口部３１Ａの一部にランド部２１ａが設けられる。さらに、ランド部２１ａはこの部分の保護のためにＩＴＯを設ける（図示せず）。
【００７６】
絶縁膜３１は、受光素子１の受光領域４が重なる領域は層数を減らして薄く形成するか全く設けないようにすることが好ましい。このことで、基板配線２１の保護が必要な領域は厚く設け、受光領域４と重なる領域については、薄くするか層数を減らすことで、光の透過性を向上させることができるためである。
【００７７】
絶縁膜３２は、受光領域４が重なる領域と、後で封止樹脂５１が設けられる領域に封止樹脂５１の形成領域に開口部を有するように配置する。この配置により、封止樹脂５１の流れ止め部の役目を果たす。他に、流れ止め部としてはＩＴＯや、絶縁膜３２とＩＴＯとの組み合わせ、絶縁膜３１との組み合わせなどが考えられる。
【００７８】
ディスプレイ２０側では、透光性支持基板１１に対向して透光性支持基板１２を配置するなどしてディスプレイ２０を形成する。
【００７９】
受光素子１を金属接合によりランド部２１ａに搭載する場合には、ランド部２１ａのみ金属接合に適した厚さに金属膜を形成しておくとよい。ＡＣＦを用いる場合は、導電突起３の形成領域全てを覆うように、透光性支持基板１１における導電突起３と重なる領域に仮付けする。透光性支持基板１１に導電突起３を設ける場合は、受光素子１側に仮付けするとよい。図７（ａ）〜図７（ｃ）の受光素子封止構造１０Ｂに示すようにＡＣＦの代わりにＡＣＰを用いる場合は、同様の領域にディスペンサなどで描画して形成するとよい。導電粒子４２を含有しないＮＣＰの場合も同様である。
【００８０】
次に、受光領域４を有する素子面１ｂの受光領域４を除く周辺領域１ｃに、外部との電気信号の授受ができる導電突起３（突起電極）を設けた受光素子１を準備する受光素子１の準備工程について説明する。
【００８１】
受光素子１を、ウエハプロセスによりウエハ上に縦横に複数個並んだマトリクス状に形成する。各受光素子１は、平面視長方形かまたは正方形などの四辺形のチップであり、その中央付近に受光領域４を形成し、四辺形の１辺（図４の場合は１辺、図１の場合は対向する２辺）に集中して、外部と電気信号の授受ができる複数の電極パッド２を形成する。また、複数の電極パッド２を形成する１辺の対辺にはダミー導電突起３Ａを形成する領域にダミーの電極パッド２Ａを形成しておく。このダミー電極パッド２Ａは、受光素子１との電気的接続はなく、最表面には電極パッド２と同様の金属を形成しておく。受光素子１の厚さはウエハ状態で素子裏面側を研磨して調整することができる。導電突起３としては、ワイヤボンディングに用いられる金属細線を用いたワイヤバンプがよい。メッキバンプでは、受光領域４を汚染する可能性があるためである。ワイヤバンプの材料としては、酸化の影響がなく形状が安定する金ワイヤがよく、電極パッド２およびダミー電極パッド２Ａの両方にワイヤバンプを形成する。高さの必要に応じ、２段、３段・・・で設けるとよい。ワイヤバンプはウエハ状態で設けるのが製造上好ましいが、受光素子１の個片状態でも可能である。このようにして受光素子１は透光性支持基板１１と並行して準備しておき、受光素子１搭載工程直前にＡＣＦ、ＡＣＰ、ＮＣＰなどの固定樹脂４１を、図６（ａ）に示すように透光性支持基板１１の導電突起３が電気的に接続されるランド部２１ａ上に設けておく。
【００８２】
次に、受光素子１を、導電突起３（突起電極）を介して透光性支持基板１１上に搭載する受光素子搭載工程について説明する。
【００８３】
即ち、図６（ｂ）に示すように、ダミー突起３Ａに対応する位置のランド２１ａには固定樹脂４１を設けない方がよい。これは、固定樹脂４１を一箇所に集中させ、残留応力を小さくするためである。残留応力が大きいと、固定樹脂４１の剥離を誘発するためである。また、ここで、固定樹脂４１は受光素子１の周縁を完全に囲むようには設けずに、少なくとも一部分に隙間を設ける方が良い。固定樹脂４１は速硬化が求められるため、摂氏１５０度以上の高温でツールボンディングする必要がある。このため、固定樹脂４１に囲まれた中空部６１の気体による圧力により、固定樹脂４１が常に応力を受ける状態となる。また、受光素子１の厚さが薄い場合、例えば０．２ｍｍ以下では受光素子１が空気圧（負圧か正圧かいずれでもよい）により撓んでしまい、受光素子１の電気的特性などに影響が懸念されるためである。
【００８４】
次に、透光性支持基板１１上と受光素子１の素子側面１ａおよび素子面１ｂの周縁領域１ｃとに封止樹脂５１を設けて受光領域４を封止する封止工程について詳細に説明する。
【００８５】
即ち、図６（ｃ）に示すように、封止樹脂５１は液状樹脂を用いることができる。前述のように、液状樹脂は透光性支持基板１１に搭載された受光素子１の素子面の固定樹脂を設けなかった外周領域において、端辺からの浸入距離が最も短いところでも、５０μｍ以上浸入し、受光領域４までは浸入しないように調整されたものを用いるとよい。概ね、摂氏２０度〜７０度の範囲の何れかの温度において、１ｍｍ/ｈ程度に抑えていれば使用可能である。ただし、素子面の端辺から受光領域４までの距離が短い受光素子１の場合は、さらに浸入距離を抑えるように、粘度、チクソ性を大きく調整するとよい。受光素子１と透光性支持基板１１間のスペースが３０から１２０μｍのとき、粘度は１００〜１５００Ｐａ・ｓ、チクソ性は１．２〜２.５程度がよい。
【００８６】
一方、電磁波で硬化する封止樹脂５１を用いると浸入距離を調節するのによい。電磁波としては紫外線硬化（光硬化）が一般的である。封止樹脂５１の描画直後に紫外線照射をするとよいが、それでも、受光素子１と透光性支持基板１１の間への封止樹脂５１の侵入は進行するため、封止樹脂５１の粘度、チクソ性の調整は必要である。紫外線照射のみでも硬化する樹脂はあるが、受光素子１の素子面が触れるように封止するため、信頼性の確保はむずかしいようである。
【００８７】
今回は、紫外線硬化と熱硬化の両方で硬化させるタイプの封止樹脂５１を用いた。描画は受光素子１の素子面の外周領域とその素子側面、透光性支持基板１１に触れるように描画した。さらに素子裏面に設けてもよい。受光領域４に到達しない粘度、チクソ性に調節されているため、素子側面のほぼ全域と、素子面の周縁も５０μｍ以上濡れ、流れ止めが無い場合においても、受光領域４まで到達しない。通常、流れ止め部は無くても良いが、受光領域４が素子面の端面に近い場合などは流れ止め部を設けた方が良い。
【００８８】
次に、紫外線を透光性支持基板１１側から照射し、紫外線照射後、液晶の耐熱温度である摂氏８０度より低い摂氏７０度程度で硬化できる封止樹脂を用い、摂氏７０度で１時間の加熱を行って硬化させた。このとき、紫外線照射直前の浸入距離が保たれており、封止樹脂５１と受光素子１、または封止樹脂５１と透光性支持基板１１との剥離などの欠陥などはない。ここでは、電磁波による硬化を行う例を示したが、熱硬化のみで硬化させても良い。この場合は、例えば、粘度とチクソ性を高めに調整すると良く、流れ止め部を設けるとさらによい。
【００８９】
受光素子１の受光領域４と透光性支持基板１１との間への異物と水分の浸入を防ぐためには、封止樹脂５１は、受光素子１の周縁における固定樹脂４１の未形成部分のみに孔を埋めるように設けても良いが、固定樹脂４１の補強と、固定樹脂４１への水分の影響を考慮して、固定樹脂４１の外周も含めて受光素子１の外周全体を囲むように設けるとさらによい。ここで、固定樹脂４１への水分の影響とは、固定樹脂４１と透光性支持基板１１、または固定樹脂４１と受光素子１との界面に水分が浸入することで、固定樹脂４１の剥離を起こし易いことである。
【００９０】
従来の受光素子封止構造としては、受光領域４に樹脂を充填するものもあるが、この場合、透光性の高い樹脂を用いても、樹脂を充填するため、透過率の低下は避けられない。さらには、受光領域４に液状樹脂が気泡や異物を巻き込む可能性が高いので品質や良品率を低下させる。本発明は、受光素子１の受光領域４は中空部６１を確実に設けており、透過率の低下や、異物、気泡による不良もない。さらには、受光素子１の受光領域４は中空部６１を確実に設けるため、微小レンズにより確実に集光させることができる。
【００９１】
ここまでの説明において、受光素子封止構造は、ディスプレイ２０を設けた透光性支持基板１１を一例としている。携帯電話装置などにおいては、従来は、ディスプレイモジュールと、カメラモジュールはそれぞれ別の基板に設けられていた。本発明の構成では、カメラモジュールとしての受光素子搭載基板を削減でき、ディスプレイモジュールがコンパクトになる。その結果として、受光素子１とディスプレイ２０の距離を近づけることができ、配線経路が短くすることができるため、処理速度を高めることができ、消費電力を抑えることができる。さらには、画像信号を双方向に通信するテレビジョン電話装置、またはテレビジョン電話機能を有する電子機器などにおいて、通話者同士の視線を合わせることを可能とする。
【００９２】
以上により、上記実施形態１，２によれば、受光素子封止構造１０、１０Ａまたは１０Ｂにおいて、少なくとも素子側面１ａおよび、この素子側面１ａに連設した素子面１ｂの受光領域４を囲む周縁領域１ｃに封止樹脂５１が配置されて受光領域４が透光性支持基板１１および封止樹脂５１により内部に封止するため、透光性支持基板１１と封止樹脂５１との界面や、封止樹脂５１と受光素子１の側面１ａとの界面での剥離を防止して、外部からの異物や湿気の浸入を防ぐことができる。
【００９３】
このように、封止樹脂５１は、受光素子１の素子側面１ａと、素子面１ｂの周縁領域１ｃに設けるため、透光性支持基板１１と受光素子１の受光領域４に異物や湿気が入り込むことを防ぐことができる。特に、封止樹脂５１として、熱硬化タイプのもの（電磁波硬化併用タイプを含む）を使用する場合において、透光性支持基板１１との界面や素子側面との界面での剥離を防ぐことができて、外部からの異物や湿気の浸入を防ぐことができる。
【００９４】
また、受光領域４に確実に中空部６１を設けるため、透光性の低下や、樹脂による異物や気泡による不良もない。
【００９５】
さらに、受光素子封止構造１０、１０Ａまたは１０Ｂにおいて、受光素子１の接続部はハンダ接続を行わないため、受光素子１とガラス基板などの透光性支持基板１１間のフラックスによる汚染がない。
【００９６】
（実施形態３）
図８は、本発明の実施形態３として、本発明の実施形態１、２の受光素子封止構造１０、１０Ａまたは１０Ｂを画像入力デバイスとして撮像部に用いた電子情報機器の概略構成例を示すブロック図である。
【００９７】
図８において、本実施形態３の電子情報機器９０は、上記実施形態１、２の受光素子封止構造１０、１０Ａまたは１０Ｂからの撮像信号を所定の信号処理をしてカラー画像信号を得る固体撮像装置９１と、この固体撮像装置９１からのカラー画像信号を記録用に所定の信号処理した後にデータ記録可能とする記録メディアなどのメモリ部９２と、この固体撮像装置９１からのカラー画像信号を表示用に所定の信号処理した後に液晶表示画面（ディスプレイ２０）などの表示画面上に表示可能とする液晶表示装置などの表示手段９３と、この固体撮像装置９１からのカラー画像信号を通信用に所定の信号処理をした後に通信処理可能とする送受信装置などの通信手段９４と、この固体撮像装置９１からのカラー画像信号を印刷用に所定の印刷信号処理をした後に印刷処理可能とするプリンタなどの画像出力手段９５とを有している。なお、この電子情報機器９０として、これに限らず、固体撮像装置９１の他に、メモリ部９２と、表示手段９３と、通信手段９４と、プリンタなどの画像出力手段９５とのうちの少なくともいずれかを有していてもよい。
【００９８】
この電子情報機器９０としては、前述したように例えばデジタルビデオカメラ、デジタルスチルカメラなどのデジタルカメラや、監視カメラ、ドアホンカメラ、車載用後方監視カメラなどの車載用カメラおよびテレビジョン電話用カメラなどの画像入力カメラ、スキャナ装置、ファクシミリ装置、カメラ付き携帯電話装置、携帯端末装置（ＰＤＡ）、テレビジョン電話装置、テレビジョン装置や情報を表示する表示ユニットまたは表示装置などに搭載するディスプレイモジュールなどの画像入力デバイスを有した電子機器が考えられる。
【００９９】
したがって、本実施形態３によれば、この固体撮像装置９１からのカラー画像信号に基づいて、これを表示画面上に良好に表示したり、これを紙面にて画像出力手段９５により良好にプリントアウト（印刷）したり、これを通信データとして有線または無線にて良好に通信したり、これをメモリ部９２に所定のデータ圧縮処理を行って良好に記憶したり、各種データ処理を良好に行うことができる。
【０１００】
なお、本実施形態１、２では、受光素子１の素子側面１ａおよび、この素子側面１ａに連設した素子面１ｂの受光領域４を囲む周縁領域１ｃに封止樹脂５１が配置されて受光領域４が透光性支持基板１１および封止樹脂５１により内部に封止する場合について説明したが、これに限らず、封止樹脂５１は受光素子１の上面（素子面１ｂとは反対側の面）をも覆うように配置してもよい。
【０１０１】
また、受光素子１の素子面１ｂの端辺付近に該端辺に沿った図示しない溝を設けて、封止樹脂５１をその溝に埋め込んで、受光素子１の素子側面１ａからの封止樹脂５１の剥離を抑制させるように構成することもできる。要するに、封止樹脂５１の溝への埋め込み部分によって、受光素子１の素子側面１ａからの封止樹脂５１の剥離方向への移動が阻止される。
【０１０２】
さらに、上記実施形態２では、複数の導電突起３を受光素子１の平面視４角形の１辺側にまとめて２列に配置したが、これに限らず、複数の導電突起３を受光素子１の平面視４角形の１辺側にまとめて一または複数列に配置してもよい。
【０１０３】
以上のように、本発明の好ましい実施形態１〜３を用いて本発明を例示してきたが、本発明は、この実施形態１〜３に限定して解釈されるべきものではない。本発明は、特許請求の範囲によってのみその範囲が解釈されるべきであることが理解される。当業者は、本発明の具体的な好ましい実施形態１〜３の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１０４】
本発明は、透光性支持基板に受光素子部品を搭載した受光素子封止構造およびその製造方法、表示素子が配置された透光性支持基板上に、被写体からの画像光を光電変換して撮像する半導体素子で構成された撮像素子を一体化させた受光素子一体型ディスプレイモジュールなどの表示素子・電子素子モジュール、この表示素子・電子素子モジュールを表示部および受光部に用いた例えばデジタルビデオカメラおよびデジタルスチルカメラなどのデジタルカメラや、画像入力カメラ、スキャナ装置、ファクシミリ装置、カメラ付き携帯電話装置、テレビジョン電話装置、テレビジョン装置や情報を表示する表示ユニットまたは表示装置などに搭載するディスプレイモジュールなどの電子情報機器の分野において、少なくとも素子側面および、この素子側面に連設した素子面の受光領域を囲む周縁領域に封止樹脂が配置されて受光領域が透光性支持基板および封止樹脂により内部に封止されているため、基板と封止樹脂との界面や、封止樹脂と受光素子の側面との界面での剥離を防止して、外部からの異物や湿気の浸入を防ぐことができる。
【符号の説明】
【０１０５】
１  受光素子
１ａ  素子側面
１ｂ  素子面
１ｃ  周縁領域
２  電極パッド
２Ａ  ダミー電極パッド
３  導電突起（突起電極）
３Ａ  ダミー導電突起
４  受光領域
５  微小レンズ
１０、１０Ａ、１０Ｂ  受光素子封止構造
１１、１２  透光性支持基板
２０  ディスプレイ（液晶表示装置）
２１  基板配線
２１ａ  ランド部
２１ｂ  配線部
３１、３２  絶縁膜
３１Ａ  開口部
４１  固定樹脂
４２  導電粒子
５１  封止樹脂
【図１】
2010272775.tif 000003
【図２】
2010272775.tif 000004
【図３】
2010272775.tif 000005
【図４】
2010272775.tif 000006
【図５】
2010272775.tif 000007
【図６】
2010272775.tif 000008
【図７】
2010272775.tif 000009
【図８】
2010272775.tif 000010
【図９】
2010272775.tif 000011